(57)【要約】      （修正有）【課題】種々のノイズの発生原因となる外乱要素がＷＭＳの計測部と同一流体中に浸漬されている場合でもノイズの影響を可及的に低減して高精度の計測を行うことができるインピーダンス計測装置を提供する。【解決手段】異なる平面の一方に配設されて励起電極となる第１のワイヤ電極２と、平面の他方において第１のワイヤ電極２に対し離間して配設された計測電極となる第２のワイヤ電極３とを有するとともに、第１のワイヤ電極２および第２のワイヤ電極３が流体の管路１中に配設されて流体のインピーダンスを計測するワイヤメッシュセンサと、周囲に流体が充満された管路１中に配設されるとともに、ワイヤメッシュセンサに対する計測ノイズを発生する外乱要素とを備えるインピーダンス計測装置であって、少なくとも第２のワイヤ電極３は絶縁被覆を有すると同時に、管路１中を流通する流体のインピーダンスを計測するための計測領域では絶縁被覆が除去されている。【選択図】図１
2015210187.tif 000002
【特許請求の範囲】
【請求項１】
異なる平面の一方に配設されて励起電極となる第１のワイヤ電極と、前記平面の他方において前記第１のワイヤ電極に対し離間して配設された計測電極となる第２のワイヤ電極とを有するとともに、前記第１のワイヤ電極および前記第２のワイヤ電極が流体の流路中に配設されて前記流体のインピーダンスを計測するワイヤメッシュセンサにおける少なくとも前記第２のワイヤ電極が、絶縁被覆を有すると同時に、前記流路中を流通する前記流体のインピーダンスを計測するための計測領域では前記絶縁被覆が除去されていることを特徴とするインピーダンス計測装置。
【請求項２】
請求項１に記載するインピーダンス計測装置において、
直接通電加熱手段を備えるとともに、該直接通電加熱手段が、前記流路中で流体に浸漬されたロッド状部材と、該ロッド状部材に電流を供給する電源とを有し、前記ロッド状部材に供給される電流に基づくジュール熱により前記ロッド状部材を発熱体として前記流体を加熱するものであることを特徴とするインピーダンス計測装置。
【請求項３】
請求項１または請求項２に記載するインピーダンス計測装置において、
前記第１のワイヤ電極も、絶縁被覆を有すると同時に、前記計測領域で前記絶縁被覆が除去されていることを特徴とするインピーダンス計測装置。
【請求項４】
請求項１〜請求項３の何れか一つに記載するインピーダンス計測装置において、
前記計測領域は、前記第１および第２のワイヤ電極が立体的に交差する領域を含むことを特徴とするインピーダンス計測装置。
【請求項５】
請求項１〜請求項３の何れか一つに記載するインピーダンス計測装置において、
前記計測領域は、前記交差する領域を含まないことを特徴とするインピーダンス計測装置。
【請求項６】
請求項５に記載するインピーダンス計測装置において、
前記交差する領域における第１および第２のワイヤ電極同士を、前記絶縁被覆を介して固定したことを特徴とするインピーダンス計測装置。
【請求項７】
請求項６に記載するインピーダンス計測装置において、
前記第１および第２のワイヤ電極の両端部の固定点である第１および第２の固定点に対し、前記交差する領域において固定した少なくとも一箇所の第３の固定点の位置を任意に選択することにより第１および／または第２のワイヤ電極の形状を非直線形状としたことを特徴とするインピーダンス計測装置。
【請求項８】
異なる平面の一方に配設されて励起電極となる第１のワイヤ電極と、前記平面の他方において前記第１のワイヤ電極に対し離間して配設された計測電極となる絶縁被覆を有する第２のワイヤ電極とを有するワイヤメッシュセンサの作製方法であって、
前記絶縁被覆の一部を薬品または熱で除去して、流路を流れる流体のインピーダンスを計測するための計測領域を形成する工程を有することを特徴とするワイヤメッシュセンサの作製方法。
【発明の詳細な説明】
【技術分野】
【０００１】
本発明はインピーダンス計測装置およびワイヤメッシュセンサの作製方法に関し、特に原子力設備における反応度事故を模擬する場合に適用して有用なものである。
【背景技術】
【０００２】
反応度事故（以下、ＲＩＡともいう）は、制御棒落下等により原子炉出力が急激に増大し、１秒未満の短時間に被覆管表面が乾く事象である。当該事象における沸騰気泡挙動を高い精度で把握することは、反応度フィードバックを考慮する上で重要である。
【０００３】
ＲＩＡ時の沸騰気泡挙動は沸騰流体のインピーダンス計測に伴うボイド率等を計測することで把握することができる。かかるインピーダンス計測については、近年急速に計測技術が進歩してきたワイヤメッシュセンサ（以下、ＷＭＳともいう）の利用が有効であると考えられるものの、流体中で発生する電位勾配が計測値にノイズ成分として現れるため、精度確保の面での課題が残る。このように、ＲＩＡの研究を進めるためには、流体中で電位勾配を生じる模擬体系でも、気泡挙動を高い時間分解能で計測する手法の開発が肝要である。
【０００４】
ＲＩＡの模擬体系としては、周囲に流体が充満された流路中に浸漬されたロッド状部材と、該ロッド状部材に電流を供給する電源とを有して前記ロッド状部材に供給される電流に基づくジュール熱により前記ロッド状部材を発熱体として前記流体を加熱する直接通電加熱体系が考えられる。かかる直接通電加熱体系においては、核燃料棒の被覆管を模擬したロッド状部材に、例えば電圧３０Ｖで電流２０ｋＡの電流を供給し、この場合に発生するジュール熱により周囲の流体を急激に沸騰させる。この際の沸騰流体のインピーダンスをＷＭＳにより計測することでボイド率等を計測してＲＩＡ時の沸騰気泡挙動を解析している。
【０００５】
ここで、ＷＭＳは、異なる平面の一方に配設されて励起電極となる第１のワイヤ電極と、前記平面の他方において前記第１のワイヤ電極に対し離間して配設された計測電極となる第２のワイヤ電極とを有しており、第１のワイヤ電極と第２のワイヤ電極との跨る流体間のインピーダンスを計測する。
【０００６】
ＷＭＳおよびこれを利用したインピーダンス計測装置を開示する公知文献として下記の特許文献１がある。
【先行技術文献】
【特許文献】
【０００７】
【特許文献１】特開２０１２−１２７８７４号公報
【発明の概要】
【発明が解決しようとする課題】
【０００８】
しかしながら特許文献１に開示するＷＭＳをはじめ、従来技術におけるＷＭＳでは、励起電極として機能する第１の電極および計測電極として機能する第２の電極を、何れもステンレス等の導線をそのまま利用して、例えば格子状に立体的に交差させて組み合わせることにより作製した計測部をインピーダンスを計測する流体中に浸漬している。
【０００９】
かかるＷＭＳを、上述の如き直接通電加熱体系と組み合わせてインピーダンスセンサとした場合、ＷＭＳの計測部および直接通電加熱体系のロッド状部材が同一の流路中で水等の液体に浸漬されることになるので、ロッド状部材に流れる電流に起因する電気的なノイズがインピーダンス計測値の外乱となり、高精度の計測が阻害される。
【００１０】
さらに、上述の如く、導線をそのまま組み合わせてＷＭＳの計測部を形成した場合には、γ線やヘチェレンコフ光等もインピーダンス計測のノイズ源となる。
【００１１】
本発明は、上述の従来技術に鑑み、電気的なノイズをはじめ、種々のノイズの発生原因となるが外乱要素がＷＭＳの計測部と同一流体中に浸漬されている場合でも、ノイズの影響を可及的に低減して高精度の計測を行うことができるインピーダンス計測装置およびワイヤメッシュセンサの作製方法を提供することを目的とする。
【課題を解決するための手段】
【００１２】
上記目的を達成する本発明の第１の態様は、異なる平面の一方に配設されて励起電極となる第１のワイヤ電極と、前記平面の他方において前記第１のワイヤ電極に対し離間して配設された計測電極となる第２のワイヤ電極とを有するとともに、前記第１のワイヤ電極および前記第２のワイヤ電極が流体の流路中に配設されて前記流体のインピーダンスを計測するワイヤメッシュセンサにおける少なくとも前記第２のワイヤ電極が、絶縁被覆を有すると同時に、前記流路中を流通する前記流体のインピーダンスを計測するための計測領域では前記絶縁被覆が除去されていることを特徴とするインピーダンス計測装置にある。
【００１３】
本態様によれば、絶縁被覆により、例えば原子力設備におけるγ線やチェレンコフ光に伴うノイズを含む、あらゆる電磁ノイズを遮断する。一方、計測に必要な電気信号である計測信号は計測領域において絶縁被覆が除去されている部分を利用して好適に得ることができる。この結果、あらゆる外乱要素から放射される電磁ノイズを遮断した上で、必要な計測信号を高いＳ／Ｎ比で検出することができる。
【００１４】
本発明の第２の態様は、第１の態様に記載するインピーダンス計測装置において、直接通電加熱手段を備えるとともに、該直接通電加熱手段が、前記流路中で流体に浸漬されたロッド状部材と、該ロッド状部材に電流を供給する電源とを有し、前記ロッド状部材に供給される電流に基づくジュール熱により前記ロッド状部材を発熱体として前記流体を加熱するものであることを特徴とするインピーダンス計測装置にある。
【００１５】
本態様によれば、この場合の外乱発生源となる直接通電加熱手段が放射する大きな電磁ノイズを確実に遮断して、良好な計測信号を得ることができる。
【００１６】
本発明の第３の態様は、第１または第２の態様に記載するインピーダンス計測装置において、前記第１のワイヤ電極も、絶縁被覆を有すると同時に、前記計測領域で前記絶縁被覆が除去されていることを特徴とするインピーダンス計測装置にある。
【００１７】
本態様によれば、計測領域においては、第２のワイヤ電極のみならず第１のワイヤ電極の絶縁被覆も除去されているので、第１および第２のワイヤ電極の間で液体または気泡等、の測定対象物のインピーダンスをより高精度に計測することができる。
【００１８】
本発明の第４の態様は、第１〜第３の態様の何れか一つに記載するインピーダンス計測装置において、前記計測領域は、前記第１および第２のワイヤ電極が立体的に交差する領域を含むことを特徴とするインピーダンス計測装置にある。
【００１９】
本態様によれば、従来から測定領域とされていた第１および第２のワイヤ電極が立体的に交差する領域を良好に測定領域とすることができる。
【００２０】
本発明の第５の態様は、第１〜第３の態様の何れか一つに記載するインピーダンス計測装置において、前記計測領域は、前記交差する領域を含まないことを特徴とするインピーダンス計測装置にある。
【００２１】
本態様によれば、従来では測定領域とすることができなかった、前記交差する領域を含まない測定領域を設定することができる。
【００２２】
本発明の第６の態様は、第５の態様に記載するインピーダンス計測装置において、前記交差する領域における第１および第２のワイヤ電極同士を、前記絶縁被覆を介して固定したことを特徴とするインピーダンス計測装置にある。
【００２３】
本態様によれば、第１および第２のワイヤ電極を固定しているので、流体の流れにより生起される振動を良好に抑制することができ、繰り返し疲労による第１および第２のワイヤ電極の剪断等の不都合を未然に防止して長期間に亘る安定した動作を保証することができる。また、振動抑制により第１および第２のワイヤ電極の間隔を所定通りに維持することができ、この点でも計測精度の高精度化に寄与することができる。
【００２４】
本発明の第７の態様は、第６の態様に記載するインピーダンス計測装置において、前記第１および第２のワイヤ電極の両端部の固定点である第１および第２の固定点に対し、前記交差する領域において固定した少なくとも一箇所の第３の固定点の位置を任意に選択することにより第１および／または第２のワイヤ電極の形状を非直線形状としたことを特徴とするインピーダンス計測装置。
【００２５】
本態様によれば、第３の固定点の位置を任意に移動させることができるので、第１および／または第２のワイヤ電極の形状を直線以外の曲線等、任意の形状に成形することができる。
【００２６】
本発明の第８の態様は、異なる平面の一方に配設されて励起電極となる第１のワイヤ電極と、前記平面の他方において前記第１のワイヤ電極に対し離間して配設された計測電極となる絶縁被覆を有する第２のワイヤ電極とを有するワイヤメッシュセンサの作製方法であって、前記絶縁被覆の一部を薬品または熱で除去して、流路を流れる流体のインピーダンスを計測するための計測領域を形成する工程を有することを特徴とするワイヤメッシュセンサの作製方法にある。
【００２７】
本発明によれば、絶縁被覆の除去作業自体を簡単かつ迅速に行なうことができるばかりでなく、絶縁被覆を除去した後の第１および第２のワイヤ電極を組み合わせてメッシュ形状を形成することができるので、計測領域を正確かつ簡単に形成することができる。
【発明の効果】
【００２８】
本発明によれば、ＷＭＳの計測電極となる第２の電極の計測領域を少なくとも除く他の部分および励起電極となる第１の電極では絶縁被覆で導電体の外周面が覆われているので、外乱要素が発生する電磁ノイズを含む、例えば原子力設備におけるγ線やチェレンコフ光に伴うノイズの影響を除去し得る。一方、計測に必要な電気信号である計測信号は計測領域において絶縁被覆が除去されている部分を利用して好適に得ることができる。
【図面の簡単な説明】
【００２９】
【図１】本発明の実施の形態に係るインピーダンス計測装置の回路系を示す概略構成図である。
【図２】本発明の実施の形態に係るインピーダンス計測装置のＷＭＳの部分を中心にその構成を示す概略構成図である。
【図３】本発明の主要部である図２の一部を抽出して示す拡大図である。
【図４】本発明の実施の形態の作用を示す説明図である。
【図５】図４に対応させて、従来技術の作用を示す説明図である。
【図６】本発明の他の実施の形態を示す説明図である。
【図７】図６に示す実施の形態の変形例を示す説明図である。
【発明を実施するための形態】
【００３０】
以下、本発明の実施の形態を図面に基づき詳細に説明する。
【００３１】
図１は、本発明の実施の形態に係るインピーダンス計測装置の回路系を示す概略構成図である。同図に示すように本形態に係るインピーダンス計測装置は、例えば原子炉の燃料棒被覆管の間を流れる冷却水の状況を把握するためのもので、前記冷却水の状態（気液の存在率等）や挙動（流速、流れ方向）を的確に把握すべく、原子炉を模擬した管路１を流れる流体の断面内の多点における気液二相流中の液体と気体の存在量の時系列情報を得るためのセンサとしてのＷＭＳを有している。ＷＭＳは、管路１の軸方向において所定の距離を隔てて交差させるとともに、管路１の断面内で正方格子状に配設された第１のワイヤ電極２および第２のワイヤ電極３を有しており、第１のワイヤ電極２を励起電極および第２のワイヤ電極３を計測電極とするインピーダンスセンサである。ここで、第１のワイヤ電極２で形成する入力線にはスイッチＳ１，Ｓ２，Ｓ３により一列目から順に励起信号ＰＩが印加される。ここで、励起信号ＰＩは電源４から切替スイッチＳＰを介して供給される。
【００３２】
インピーダンス計測センサにおいて、励起電極である第１のワイヤ電極２にはスイッチＳ１、Ｓ２，Ｓ３により一列目から順に励起信号ＰＩが印加される。ここで、励起信号ＰＩは電源４から切替スイッチＳＰを介して供給される。
【００３３】
上述の如き励起信号ＰＩの印加に伴い、第１のワイヤ電極２および計測電極である第２のワイヤ電極３の交点（[１.１]，[２.１]，[３.１]）・・・（[１.３]，[２.３]，[３.３]）におけるインピーダンスは、各交点（[１.１]，[２.１]，[３.１]）・・・（[１.３]，[２.３]，[３.３]）を短絡する流体の状態に応じて変化する。この結果、第２のワイヤ電極３には各交点（[１.１]，[２.１]，[３.１]）・・・（[１.３]，[２.３]，[３.３]）のインピーダンスを反映した計測信号ＰＯ１，ＰＯ２，ＰＯ３が各行毎に出力される。
【００３４】
いま、スイッチＳ２を閉にすることによってスイッチＳ２に接続された第１のワイヤ電極２に励起信号ＰＩが印加された場合を考える。この場合において、交点[２.３]に気泡５が存在する一方、他の交点[２.１]，[２.２]近傍が液体で満たされていると、交点[２.３]におけるインピーダンスが、他の交点[２.１]，[２.２]におけるインピーダンスよりも大きくなるので、この交点[２.３]に対応する第２のワイヤ電極３を介して得られる計測信号ＰＯ３は他の計測信号ＰＯ１，ＰＯ２よりも低い強度で検出される。すなわち、計測信号ＰＯ１、ＰＯ２の平均レベルは交点（[１.１]，[２.１]，[３.１]）・・・（[１.３]，[２.３]，[３.３]）における気液二相流における液体（例えば水）と気体（気泡５）の存在量を反映したものとなる。この結果、計測信号ＰＯ１〜ＰＯ３を演算処理部（図示せず）で処理することにより各交点（[１.１]，[２.１]，[３.１]）・・・（[１.３]，[２.３]，[３.３]）における、例えば気液二相流における気液の割合等、所望の物質の存在量を演算により計測することができる。
【００３５】
図２は、本形態に係るインピーダンス計測装置のＷＭＳの部分を中心にその構成の詳細を図２に基づき説明する。図２は当該部分の概略構成図である。なお、図２中、図１と同一部分には同一番号を付し、重複する説明は省略する。
【００３６】
図２に示すように、本形態に係るインピーダンス計測装置は、管路１内に充満されて図中の垂直方向に流れる流体中に浸漬される直接通電加熱手段６を有している。この直接通電加熱手段６は、管群を構成して管路１内に浸漬されている多数のロッド状部材７と、各ロッド状部材７に接続されて、それぞれに電流を供給する電源としての電池８とを有しており、例えば３０Ｖ、２０ｋＡの大電流が供給されて、ジュール熱により発熱して急激に管路１内の流体を加熱するものである。ロッド状部材７が原子炉における燃料棒被覆管を模擬したものとなる。
【００３７】
ＷＭＳの励起電極となる第１のワイヤ電極２は、ロッド状部材７で構成する管群を含む横断面内の一方向に直線的に配設されており、計測電極となる第２のワイヤ電極３は、上下方向で所定の間隔を介して第１のワイヤ電極２と直交する方向に直線的に配設されている。かくして第１のワイヤ電極２と第２のワイヤ電極３とが立体的に交差する計測領域９における気泡５の有無により異なる各計測領域９のインピーダンスを計測する。
【００３８】
図３は本形態の主要部である図２の計測領域を抽出して示す拡大図である。同図に示すように、本形態では、第１のワイヤ電極２と第２のワイヤ電極３とは、導体部分のほとんどが絶縁被覆２Ａ，３Ａで被覆されるとともに、立体的に交差する計測領域９においてのみ絶縁被覆２Ａ，３Ａが除去されて内部の導体２Ｂ，３Ｂが流体中に臨んでいる。この結果、計測領域９では導体２Ｂ，３Ｂを介して流体のインピーダンスを計測することができる。一方、計測領域９以外の部分では、第１および第２のワイヤ電極２，３が絶縁被覆２Ａ，３Ａにより被覆されているので、急激に大きな電流が供給されることにより強い電磁ノイズを発生する外乱源となる直接通電加熱手段６が発生するノイズを絶縁被覆２Ａ，３Ａで遮断して、その影響を受けることなく、高精度の所定のインピーダンス計測を行なうことができる。
【００３９】
なお、本形態においては、計測電極である第２のワイヤ電極３のみならず、励起電極である第１のワイヤ電極２も計測領域９では絶縁被覆２Ａを除去したが、必ずしもこのように除去する必要はない。少なくとも計測電極の絶縁被覆３Ａが除去されていれば、所望のインピーダンス計測は可能であるからである。ただ、本形態のように、励起電極である第１のワイヤ電極２と計測電極である第２のワイヤ電極３との両方とも絶縁被覆２Ａ，３Ａを除去することにより、両者が交差する計測領域９で大きなレベルの計測信号ＰＯ１〜ＰＯ３を生成することができ、高精度の計測に資することができる。
【００４０】
また、本形態に係るＷＭＳは、絶縁被覆２Ａ，３Ａの一部を薬品または熱で除去することによりインピーダンスを計測するための計測領域９を形成する。すなわち、絶縁被覆２Ａ，３Ａを除去した後、メッシュ状に組み立てる。したがって、第１および第２のワイヤ電極２，３を組み立てた後、計測領域９を形成すべく絶縁被覆２Ａ，３Ａを除去する場合に較べ、第１のワイヤ電極２と第２のワイヤ電極３を計測領域９に対応する位置での位置合わせが各段に簡単になり、高精度かつ迅速に所定の計測領域９を形成することができる。ここで、薬品としては、塩酸、硫酸等の酸、熱の供給手段としてはレーザー光が最適である。
【００４１】
上述の如き本形態によれば、大きな電気ノイズを発生する直接通電加熱手段６の近傍に配設しても電気ノイズの影響を可及的に抑制して高精度の計測信号ＰＯ１〜ＰＯ３を得ることができるが、かかる本形態の作用を図４に基づき説明しておく。同図に示すように、第１および第２のワイヤ電極２、３はそのほとんどが絶縁被覆２Ａ，３Ａで覆われている。したがって、外乱源である直接通電加熱手段６が電気ノイズ１０を発生してもこの電気ノイズ１０は絶縁被覆２Ａ，３Ａで遮断され、導体２Ｂ，３Ｂに乗ることはない。一方、第１および第２のワイヤ電極２，３が立体的に交差する計測領域９では第１および第２のワイヤ電極２，３の絶縁被覆２Ａ，３Ａが除去されているので、絶縁被覆２Ａ，３Ａが除去されている導体２Ｂ，３Ｂ間に気泡５が跨った場合には、この気泡５の存在を示す計測信号ＰＯが、励起信号ＰＩに対応して出力される。
【００４２】
これに対し図５に示す従来技術では、第１および第２のワイヤ電極１２，１３が導体のみからなるので、直接通電加熱手段６が発生する電気ノイズ１０が直接第１および第２のワイヤ電極１２，１３、特に計測電極である第２のワイヤ電極１３に乗るので、その影響が、計測信号ＰＯの歪みとなって顕在化し、これにより測定精度が悪化する。また、従来においては、気泡５が、図５に実線で示すような大きさで計測領域９に存在する場合であっても、図５に点線で示すように、より大きい大きさで計測領域９に存在する場合であっても、励起信号ＰＩが第１および第２のワイヤ電極１２，１３の計測領域９における露出部分で図中の矢印１７，１８の経路を介して励起信号ＰＩが計測信号ＰＯに影響を与える。かかる短絡現象も計測信号ＰＯを歪ませる原因となる。
【００４３】
図６は、本発明の他の実施の形態を示す説明図である。同図に示すように、第１のワイヤ電極１２および第２のワイヤ電極１３の絶縁被覆１２Ａ，１３Ａを除去して導体１２Ｂ，１３Ｂを露出させる部分は、第１のワイヤ電極１２および第２のワイヤ電極１３が立体的に交差する部分に限るものではない。他の任意の部分の絶縁被覆１２Ａ，１３Ａを除去して導体１２Ｂ，１３Ｂを露出させることで、第１および第２のワイヤ電極１２，１３が立体的に交差する部分ではなく、任意の領域を計測領域１９とすることができる。本形態においては、任意の計測領域１９において気泡１５が導体１２Ｂ，１３Ｂに跨ったとき、この気泡１５の存在が検出される。
【００４４】
一方、電気ノイズ１０の遮断作用等に関しては図４に示す場合と同様である。また、本形態の場合は、第１および第２のワイヤ電極１２，１３が立体的に交差する部分を結束し結束部１６とすることができる。結束部１６では絶縁被覆１２Ａ，１３Ａを介して第１および第２のワイヤ電極１２，１３が接触しているからである。
【００４５】
本態様によれば、第１および第２のワイヤ電極１２，１３を固定しているので、流体の流れにより生起される振動を良好に抑制することができ、繰り返し疲労による第１および第２のワイヤ電極１２，１３の剪断等の不都合を未然に防止して長期間に亘る安定した動作を保証することができる。また、振動抑制により第１および第２のワイヤ電極の間隔を所定通りに維持することができ、この点でも計測精度の高精度化に寄与することができる。
【００４６】
さらに、図６に示す実施の形態の変形例として図７に示すＷＭＳを有するインピーダンス計測装置が考えられる。本変形例は、図７に示すように、第１および第２のワイヤ電極１２，１３の管路１に対する両端部の固定点である第１の固定点（Ｐ１，Ｐ３）、および第２の固定点（Ｐ２，Ｐ４）に対し、結束部１６（図６参照；以下同じ）で構成する少なくとも一箇所の固定点Ｐ５，Ｐ６を有しているので、固定点Ｐ５，Ｐ６の位置を任意に選択することにより第１および第２のワイヤ電極１２，１３の形状、または第１のワイヤ電極１２の形状もしくは第２のワイヤ電極１３の形状を非直線形状とすることもできる。この場合には固定点Ｐ５，Ｐ６（結束部１６）の位置を任意に移動させて所望の計測領域を形成することができるので、第１および／または第２のワイヤ電極１２，１３の形状を直線以外の曲線等、任意の形状に成形することができる。ここで、固定点Ｐ５は、図示はしないが、例えば当該インピーダンス計測装置のロッド状部材７（図６参照）に固定されている。また、固定点Ｐ６は、第１および第２のワイヤ電極１２，１３同士を結束して固定している部分である。かくして、図７に示すように、任意の位置に計測領域１９を形成することができ、計測領域１９に気泡１５が存在する場合には、そのインピーダンスを計測することができる。ここで、図７に示す場合は、第１および第２のワイヤ電極１２，１３のうち一本のみを非直線形状としたが、一本のみに限定するものではない。また、非直線形状は、第１または第２のワイヤ電極１２，１３のうち何れか一方のみに形成しても良い。要するに、何処を計測領域１９とするかを考慮して決定すれば良い。
【００４７】
上記実施の形態においては、外乱（雑音）源として直接通電加熱手段６を考えたが、本発明において遮断対象としているノイズには、例えば原子力設備におけるγ線やチェレンコフ光に伴うノイズを含む、あらゆる電磁ノイズが含まれる。すなわち、外乱とは、ＷＭＳにおいて、電気力線を撹乱する全ての要素をいう。
【産業上の利用可能性】
【００４８】
本発明は原子力設備における冷媒の沸騰態様等を検討する産業分野に適用して有用なものである。
【符号の説明】
【００４９】
１                          管路
２                          第１のワイヤ電極
２Ａ                        絶縁被覆
２Ｂ                        導体
３                          第２のワイヤ電極
３Ａ                        絶縁被覆
３Ｂ                        導体
４                          電源
５                          気泡
６                          直接通電加熱手段
７                          ロッド状部材
８                          電池
９                          計測領域
１０                          電気ノイズ
１２                          第１のワイヤ電極
１２Ａ                        絶縁被覆
１２Ｂ                        導体
１３                          第２のワイヤ電極
１３Ａ                        絶縁被覆
１３Ｂ                        導体
１５                          気泡
１６                          結束部
【図１】
2015210187.tif 000003
【図２】
2015210187.tif 000004
【図３】
2015210187.tif 000005
【図４】
2015210187.tif 000006
【図５】
2015210187.tif 000007
【図６】
2015210187.tif 000008
【図７】
2015210187.tif 000009